(57)【要約】  表面のパターン形成又は表面処理の目的でプロセスビームを加工物上に正確に配置するために、加工物の位置、向き、及びスケールを決定する上で再帰性反射材料及び再帰反射表面を用いる方法及び装置。【特許請求の範囲】
【請求項１】
物体フィデューシャルの位置を決定するための装置であって、
プローブビームを発生させるプローブビーム発生ユニットと、
ビーム誘導操作デバイスと、
前記物体フィデューシャルを有し、基板ホルダ上に配置された基板と、
前記物体フィデューシャルの下、周囲、近隣、及び／又は内部に配置された再帰性反射材と、
再帰反射ビーム検出器と、
を備え、
前記再帰反射ビーム検出器は、前記再帰性反射材によって再帰反射されたプローブビームを検出するように位置決めされる、
ことを特徴とする装置。
【請求項２】
前記プローブビームを前記ビーム誘導操作デバイスに向かって反射するように配置された第１のビームスプリッタを更に備える、請求項１に記載の装置。
【請求項３】
前記再帰反射プローブビームは、前記再帰反射ビーム検出器によって検出される前に前記第１のビームスプリッタを通り抜ける、ことを特徴とする請求項２に記載の装置。
【請求項４】
前記再帰反射プローブビームは、前記再帰反射ビーム検出器によって検出される前に前記第１のビームスプリッタを通り抜けない、ことを特徴とする請求項２に記載の装置。
【請求項５】
プロセスビームを発生させるプロセスビーム発生ユニットと、
前記プロセスビームを前記ビーム誘導操作デバイスに向かって反射するように配置された第２のビームスプリッタと、
を更に備える、請求項１に記載の装置。
【請求項６】
前記第１のビームスプリッタ及び第２のビームスプリッタは、前記プローブビームと前記プロセスビームとが前記ビーム誘導操作デバイスに入射する時に実質的に相互整列されるように構成される、ことを特徴とする請求項５に記載の装置。
【請求項７】
前記プローブビームと前記プロセスビームとはほぼ重畳される、ことを特徴とする請求項６に記載の装置。
【請求項８】
前記プローブビームと前記プロセスビームとは、前記ビーム誘導操作デバイスが該プローブビームを前記基板又は再帰性反射材上の場所に誘導操作する時に、該プロセスビームも同じ場所にせいぜい小さなオフセットで誘導操作することになるように、実質的に相互整列される、ことを特徴とする請求項５に記載の装置。
【請求項９】
前記物体フィデューシャルは、エッジ、ノッチ、コーナー、又は前記基板の外部境界上に位置決めされた他の幾何学的アーチファクトである、ことを特徴とする請求項１に記載の装置。
【請求項１０】
前記物体フィデューシャルは、孔、スリット、十字、ボックス、円、環、又は前記基板の内部に埋め込まれた他の幾何学的アーチファクトである、ことを特徴とする請求項１に記載の装置。
【請求項１１】
前記プローブビームの位置と前記プロセスビームの位置との間のオフセットを検出する位置感知検出器を更に備える、請求項５に記載の装置。
【請求項１２】
前記位置感知検出器は、光検出器を備える、ことを特徴とする請求項１１に記載の装置。
【請求項１３】
前記位置感知検出器は、前記プローブビーム及び前記プロセスビームのサイズと比較して小さいピンホールを更に備える、ことを特徴とする請求項１２に記載の装置。
【請求項１４】
前記再帰性反射材は、前記物体フィデューシャルを完全に囲むように位置決めされる、ことを特徴とする請求項１に記載の装置。
【請求項１５】
前記再帰性反射材は、前記プローブビームの波長に対して透過性を有するが、前記プロセスビームの波長に対しては不透過性を有する材料によって前記プロセスビームに対する露出から保護される、ことを特徴とする請求項４に記載の装置。
【請求項１６】
前記ビーム誘導操作デバイスは、走査ミラー、走査台、検流計ミラー、電気光学ビーム偏向器、音響光学ビーム偏向器、又はマイクロ機械走査デバイスを備える、ことを特徴とする請求項１に記載の装置。
【請求項１７】
前記再帰反射ビーム検出器によって検出される少なくとも１つの物体フィデューシャルの位置を用いて前記基板上の前記プロセスビームの走査幾何学構成が補正される、ことを特徴とする請求項１に記載の装置。
【請求項１８】
基板内の物体フィデューシャルの位置を決定する方法であって、
プローブビームを発生させる段階と、
少なくとも前記物体フィデューシャルの付近の前記基板にわたって前記プローブビームを誘導操作する段階と、
前記物体フィデューシャルの下、周囲、近隣、及び／又は内部に配置された再帰性反射材によって再帰反射された前記プローブビームを検出する段階と、
前記再帰反射プローブビームに基づいて前記物体フィデューシャルの場所を決定する段階と、
を含む方法。
【請求項１９】
前記プローブビームを誘導操作する前に該プローブビームを第１のビームスプリッタによって反射する段階を更に含む、請求項１８に記載の方法。
【請求項２０】
前記再帰反射プローブビームは、検出される前に前記第１のビームスプリッタを通り抜ける、ことを特徴とする請求項１９に記載の方法。
【請求項２１】
前記再帰反射プローブビームは、検出される前に前記第１のビームスプリッタを通り抜けない、ことを特徴とする請求項１９に記載の方法。
【請求項２２】
プロセスビームを発生させる段階と、
前記プロセスビームを第２のビームスプリッタによって反射する段階と、
前記プロセスビームを前記基板にわたって誘導操作する段階と、
を更に含む、請求項１８に記載の方法。
【請求項２３】
前記プローブビームと前記プロセスビームとは実質的に相互整列される、ことを特徴とする請求項２２に記載の方法。
【請求項２４】
前記プローブビームと前記プロセスビームとはほぼ重畳される、ことを特徴とする請求項２３に記載の方法。
【請求項２５】
前記プローブビームと前記プロセスビームとは、前記プローブビームがある場所に誘導操作される時に、前記プロセスビームも同じ場所にせいぜい小さなオフセットで誘導操作されるように実質的に相互整列される、ことを特徴とする請求項２２に記載の方法。
【請求項２６】
前記物体フィデューシャルは、エッジ、ノッチ、コーナー、又は前記基板の外部境界上に位置決めされた他の幾何学的アーチファクトであることを特徴とする請求項１８に記載の方法。
【請求項２７】
前記物体フィデューシャルは、孔、スリット、十字、ボックス、円、環、又は前記基板の内部に埋め込まれた他の幾何学的アーチファクトであることを特徴とする請求項１８に記載の方法。
【請求項２８】
前記プローブビームの位置と前記プロセスビームの位置との間のオフセットを検出する段階を更に含む、請求項２２に記載の方法。
【請求項２９】
前記検出段階は、光検出器によって少なくとも部分的に実施される、ことを特徴とする請求項２２に記載の方法。
【請求項３０】
前記検出段階は、前記プローブビーム及び前記プロセスビームのサイズと比較して小さいピンホールによって少なくとも部分的に実施される、ことを特徴とする請求項２９に記載の方法。
【請求項３１】
前記再帰性反射材は、前記物体フィデューシャルを完全に囲むように位置決めされる、ことを特徴とする請求項１８に記載の方法。
【請求項３２】
前記プローブビームの波長に対して透過性を有するが、前記プロセスビームの波長に対しては不透過性を有する材料を用いて前記再帰反射表面をプロセスに対する露出から保護する段階を更に含む、請求項２２に記載の方法。
【請求項３３】
前記誘導操作段階は、走査ミラー、走査台、検流計ミラー、電気光学ビーム偏向器、音響光学ビーム偏向器、又はマイクロ機械走査デバイスによって実施される、ことを特徴とする請求項１８に記載の方法。
【請求項３４】
決定された前記物体フィデューシャルの場所に基づいてプロセスビームの走査幾何学構成を補正する段階を更に含む、請求項１８に記載の方法。
【発明の詳細な説明】
【技術分野】
【０００１】
一般的に本発明は、表面のパターン形成又は表面処理の目的でプロセスビームを加工物上に正確に配置するために、加工物の位置、向き、及びスケールを高速且つ正確に決定するための再帰反射表面の使用に関する。それに加えて、加工物上におけるプロセスビームの正確な場所決めを可能にするための走査デバイスのビーム偏向線形性の補正に向けて、加工物又は試験品上における再帰反射特徴部又はフィデューシャル（ｆｉｄｕｃｉａｌ）の正確な既知の位置を用いることができる。本明細書で説明する一実施形態では、本発明を半導体ウェハ加工設備に適用することができ、この場合、ウェハの位置、向き、並びにビーム偏向のスケール及び線形性を検出するために用いることができる。
【背景技術】
【０００２】
再帰性反射材及び再帰反射表面は、道路標識及び高視認性衣服において安全性を向上させるために広く用いられている。再帰性反射材が入射光を、概ねそれが入射した方向に反射し戻すという性質を利用することで、この効果は、自動車のヘッドライト等の光源を有する物体から見た時に非常に高い視認性特徴を生じる。再帰反射（時としてリトロフレクションと呼ばれる）は、一般的に路面、道路標識、車両、及び衣服上で用いられる。例えば、自動車のヘッドライトが再帰反射表面を照明すると、反射光は、拡散反射又は散乱の場合のように全ての方向にではなく概ね自動車及び運転者に向かって導き戻される。
【０００３】
再帰反射表面の帰還信号と、再帰反射しない近隣区域の帰還信号との間のコントラストは高く、即座に検出される。従って、背景の隣又は中のどちらかにある再帰反射表面と並置された自体では再帰反射しない物体のエッジを跨いでビームを走査することによって、エッジの場所を高精度で決定することを可能にする明確に区別された信号が得られる。本明細書において説明するように、この効果は、物体のエッジ又はその他の特別な特徴部（ノッチ等）の位置を正確に特定するために用いられ、この位置特定は、物体の向きを決定する上で重要である。加工物又は試験品上におけるフィデューシャルの用法は、説明することになる様々な計測目的で用いることができる。一実施形態では、本発明は、半導体加工においてウェハエッジの場所、並びに例えばウェハ中心の場所及びウェハノッチの向きを正確に決定する。これらのパラメータの把握は、多くのプロセスにとって重要である。
【０００４】
多くの工業プロセス、例えば半導体ウェハ加工では、特定の特徴を有するエネルギーを堆積させるために、レーザービーム、電子ビーム、又はイオンビーム等のエネルギーのビームが加工物にわたって走査される。かかるエネルギービームはプロセスビームと呼ばれる場合もある。例えば、半導体ウェハ加工では、紫外放射線、深紫外放射線、又は極紫外放射線（ＵＶ、ＤＵＶ、又はＥＵＶ）、或いは電子ビーム又はイオンビーム等の化学放射線ビームを、エネルギー堆積の目的で基板にわたって走査することができる。他の場合には、可視ビーム又は赤外（ＩＲ）ビームを基板にわたって走査することができる。特定のエネルギーパターン又はいわゆる照射量マップ（例えば、ミリジュール毎平方センチメートル、ｍＪ／ｃｍ2を単位とする）を堆積させるために、ビームによって堆積されるエネルギーをビームが走査する時に点毎に制御することができる。堆積エネルギーは、多くの理由、例えば、アニーリング又は化学反応の促進を含む多くの目的に向けて表面を化学的に修飾する又は加熱するために与えることができる。
【０００５】
当該技術分野では、プロセスビームを加工物にわたって走査する多くの方法が公知である。例えば、ビームを基板にわたって掃引するために、機械的に走査又は回転する台に添着されたミラー又はプリズムを用いることができる。特に、基板にわたってビームを走査するために、ビーム偏向ミラーが添着された２軸検流計台を用いることができる。１つのミラー（この例ではＹ軸ミラーと呼ぶことにする）を低速で走査し、それと同時に第１のものと直交する第２のミラーを（この例ではＸ軸ミラーと呼ぶことにする）高速に走査することによって基板全体を走査し、処理することができる。荷電粒子ビームに対する静電偏向器又は磁気偏向器、光ビームに対する電気光学ビーム偏向器、並びに光ビームに対するマイクロ機械ビーム偏向器及び誘導操作デバイスを含む他のビーム偏向法も公知である。
【０００６】
ビームの誘導操作及び走査を作動させるための多くのかかるデバイスでは、アナログ電圧又はデジタル電圧等の入力信号によって所望量のビーム偏向が制御される。走査ミラー検流計デバイスでは、例えば、ミラーからのビーム偏向角が入力電圧によって制御される。ビームが走査する時に、ビームによって加工物表面に与えられるエネルギー照射量の位置精度が、（１）ビームを加工物上の正しい位置に正しい時間に配置する能力、及び（２）プロセスビームの強度又はパワーを所望の照射量マップにふさわしい当該ビーム位置に対する正しいレベルへと作動又は制御する能力という２つの因子によって制御される。当該技術分野では、プロセスビームの強度又はパワーを時間の関数として制御する多くの方法が公知である。例えば、光ビームに対しては、ビームエネルギーをビーム偏向と同期させて綿密に制御するために音響光学シャッター又は電気光学シャッターを用いることができる。
【０００７】
しかしながら、入力信号を用いて加工物上における走査ビームの位置を正確に制御する場合には問題が存在する。例えば、プロセスビームを加工物上の特定の部分に偏向させることに向けた入力電圧信号が、信号増幅器によって歪んだ状態になり、ビームを加工物上に位置誤差を伴って入射させる可能性がある。それに加えて、偏向電圧信号が、ビーム偏向サーボ電子機器によって受信された時に、この偏向電子機器及び／又は機構の非線形性又はドリフトに起因してビームを所望の角度に偏向させることができない可能性がある。それに加えて、特定の角度に偏向されたビームが、ミラー又はレンズ等の介在光学構成要素によって与えられたひずみに起因して加工物上の所望の場所に入射しない可能性がある。それに加えて、ビームは、加工物上の特定の場所に入射する時に、加工物がその所望の場所から偏位されてしまっている又はその向きが不適切に定められてしまっていることに起因して加工物に対して正しく位置合わせされない可能性がある。それに加えて、ビームは、加工物上の特定の場所に入射する時に、加工物がビーム偏向システムの光学経路に沿って不正な位置に配置されていること又はその他の要因に起因して所望のＸ軸スケール係数又はＹ軸スケール係数を有さない可能性がある。
【０００８】
走査ビームエネルギー堆積を実施する時に、幾つかの場合には均一なエネルギー堆積が望まれることがある。他の場合には、全ての加工物に対して等しいエネルギー堆積マップ又はエネルギー堆積パターンが望まれることがある。なおも他の場合には、各加工物が何れかの工業プロセスを辿るように堆積マップを変更することが望まれることがある。最後に、後続又は先行の工業プロセス段階の既知の系統誤差に関して堆積マップを予備補正することによって各加工物に対する堆積マップを変更することが望まれることがある。しかしながら一般的には、加工物上に与えられるエネルギーのマップ又はパターンの正確な位置合わせを果たし、加工物上の各場所に堆積されるエネルギーの量を正確に制御することが重要である。例えば、半導体製造の場合には、基板上のビーム位置の精度を１ｍｍ、１００ミクロン、１０ミクロンよりも細かく、又はそれよりも更に細かく制御することが望まれることがある。
【０００９】
多くの用途において、例えば環境又はビーム自体の性質に起因して加工物表面に対するプロセスビームの位置を正確に確定することが困難である場合がある。幾つかの場合には、例えば、工業用カメラ等の典型的な種類のセンサにとって不都合な又は適切でないチャンバ内で加工物が加工されることがある。他の場合には、プロセスビーム、例えば高パワーＵＶレーザービーム自体の性質が、カメラが加工物を横断する時にごく僅かな有用信号しかカメラに戻さないことがある。他の場合には、例えば加工物位置を決定する目的でのエネルギービームに対する加工物の露光が、所望のものではない可能性があるエネルギーを表面に与えることがある。
【００１０】
これらの制限を回避するために、プローブビームを、加工物境界を精査する目的でプロセスビームと併用し、更に望ましくないエネルギー堆積を引き起こすことなく加工物の場所及び向きを決定する目的で本明細書において教示する他のフィデューシャルと併用することができる。この場合プローブビームを用いて加工物を精査する行為がプロセスビームの所望のエネルギー堆積精度を損なうことにならないように、プローブビームが、プロセスビームによって望まれるものと同じ効果を加工物に対して有さないこと又は少なくとも非常に小さい効果しか有さないことが重要である。例えば、高パワーのＵＶプロセスビーム又はＤＵＶプロセスビームを用いる多くの場合に、低パワーの赤色レーザー又は赤外（ＩＲ）レーザー、例えばヘリウムイオンレーザー又はダイオードレーザーをプローブビームとして安全に用いることができる。
【００１１】
プローブビームが、プロセスビームに対する加工物の位置及び向きを正確に決定することができるためには、プローブビームは、事実上プロセスビームの正確な代用物としての役割を果たさなければならない。言い換えれば、プロセスビームが偏向入力信号に応じて加工物を横断する時に、プローブビームは、同じ偏向入力信号に応じてプロセスビームと正確に同じ位置又はプロセスビームに対する既知の安定したオフセットで加工物を横断することもできなければならない。本明細書では、この要件を達成するための手段を説明する。
【００１２】
本発明の更なる実施形態では、スケール線形係数を決定するために露光視野のマップをプローブビームによって高精度で作成することができる。これらの係数は、加工平面内の精確に把握された場所に再帰反射特徴部を含む加工物又は試験品上にフィデューシャルを組み込むことによって測定される。続いてこれらの実測係数を、ビーム位置決め手段がビーム位置決め誤差を低減するために組み込むことができるビーム偏向補正へと変換することができる。これらの補正は、例えば、適切な電子機器、制御器、及び／又はソフトウェアに実装することができる。
【００１３】
所期のビーム位置と精査済みビーム位置との比較が、精査対象の各位置に関する走査誤差のマップを生じる。このプロセスによって収集された情報は、プローブビームの座標基準フレームの正確な決定を可能にし、続いてこの座標基準フレームを用いて注目プロセス表面（半導体ウェハの表面等の）上へのプローブビーム又はプロセスビームのどちらかの正確な位置決めを施すことができる。
【００１４】
加工物にわたるプローブビーム又はプロセスビームの相対運動は、幾つかの手法で果たすことができる。例えば、ビームは、検流計、回転プリズム、或いは音響光学デバイス又は電気光学デバイスを用いた偏向を用いて走査することができる。或いは、ビームを固定のものとすることができ、物体を、例えば台を用いて移動させることができる。重要なのは、物体及びそれに添着されたフィデューシャル、例えばエッジ又はノッチに対する相対運動である。
【００１５】
プロセスビームに対する基板の正確な位置及び向きを決定することができる測定を実施するための方法及び装置を本明細書で説明する。更に、加工すべき物体に対するビーム偏向システムの座標基準フレームのひずみを高精度で決定することができる測定を実施するための方法及び装置も開示する。なおも更に、ビーム偏向及び物体にわたる走査の線形性を実質的に改善し、それによって加工物上への優れたプロセスビームエネルギー堆積精度を得るためにハードウェア手段及びソフトウェア手段の使用によってビーム偏向システムを補正するために上記のひずみマップを用いることができる方法及び装置も開示する。
【００１６】
リトロフレクター
再帰反射体は、光を、それが入射した方向とほぼ同じ方向に沿って光源に戻すことによって動作するデバイスである。図１は、入射光ビームに対する４つの種類の表面の基本原理を例示している。ミラー又は鏡面とも呼ばれる反射表面１０１は、表面１０１ｃ上に入射したビーム１０１ａを入射ビームと等しいが反対の符号の入射角を有する方向に沿うビーム１０１ｂの形態で戻す。拡散表面１０２は、表面１０２ｃ上に入射したビーム１０２ａを広範囲の方向に沿う複数のビーム１０２ｂの形態で戻す。再帰反射表面１０３は、表面１０３ｃ上に入射したビーム１０３ａを入射ビームの入射角と等しい角度の方向に沿うビーム１０３ｂの形態で戻す。拡散再帰反射表面１０４は、表面１０４ｃ上に入射したビーム１０４ａを入射ビームの入射角の周囲に配列された狭い角度範囲内にある方向に沿う複数のビーム１０４ｂの形態で戻す。
【００１７】
再帰反射体の効率は、その上に入射する光の量（法線照度）に対する戻り光の強度（光度）の比として定義される反射体性能の尺度である光度（ＲＩ）係数によって表される。高い信号対ノイズ値では、高い光度を有するのが望ましい。
【００１８】
一般的に、球面（又はキャッツアイ）及びプリズム（又はコーナーキューブ）という２種類の再帰反射体が用いられる。これらは、ｍｍ若しくはｃｍサイズ又は更に大きいものとすることができる単一のデバイスとして、或いは各々がサブｍｍサイズの多くの小さい再帰反射体デバイスを利用したシートの形態において市販で入手可能である。図２は、球面再帰反射体及びプリズム再帰反射体の原理を例示している。球面再帰反射体２００は、光線２００ａが球面２００ｃ上に入射して球面の前側表面を貫通して屈折し、後側表面から反射して（いわゆるキャッツアイ効果）、概ね入射光線の方向に戻る戻り光線２００ｂを形成する様子と一緒に示されている。プリズム再帰反射体２０１は、光線２０１ａが、反転プリズム２０１ｃ上に入射して３つのプリズムの表面から反射し、概ね入射光線の方向に戻る戻り光線２０１ｂを形成する様子と一緒に示されている。（簡略化の目的で図には２つの反射しか描示していない）
【００１９】
再帰反射体デバイスは、シート形態で作製することもでき、マイクロビーズ面再帰反射体又はマイクロプリズム面再帰反射体と呼ばれる。一般的に言うと、コーナー反射体は、光を長い距離にわたって光源へと精確に送り戻すのに優れており（再帰反射体表面）、それに対して球面は、光源から幾分軸外に位置決めすることができる受光器に光を送るのに優れている（拡散再帰反射体表面）。シート形態にあるマイクロプリズム再帰反射体及びマイクロビーズ再帰反射体は市販で入手可能である。マイクロビーズ反射体は、本明細書で説明する用途にとって有用とすることができる比較的大きいシートとして市販で入手することができる。マイクロプリズム反射体は、一般的に高ＲＩの場合に最も効率的な種類のものであるが、一般的に、再帰反射しない境界部によって分離された無擾乱再帰反射区域からなる小さい領域（数ｍｍ程度の）しか有さない。これらの周期的境界部は交通安全等の商業用途における使用には影響を与えないが、本明細書で説明する用途には好ましくない可能性がある。
【００２０】
図３は、いわゆるマイクロビーズ再帰反射体表面又はマイクロプリズム再帰反射体表面の原理を例示している。一般的にマイクロビーズ再帰反射体３００は、反射基板３００ｄに接合された微小なガラス又はプラスチックビーズ（３００ｃ）のベッドを利用する。個々のビーズ上に入射した光線３００ａは、ビーズの前面を貫通して屈折し、ビーズの後面から反射して（いわゆるキャッツアイ効果）、概ね入射光線の方向に戻る戻り光線３００ｂを形成する。マイクロプリズム再帰反射体３０１は、基板３０１ｄ上に形成された微小なプラスチック、ガラス、又は金属の反転ピラミッド３０１ｃのベッドを利用する。個々のピラミッド上に入射した光線３０１ａは、プリズム面から３回反射して、概ね入射光線の方向に戻る戻り光線３０１ｂを形成する。再帰反射性に関する商業用途の歴史をｈｔｔｐ：／／ｒｅｆｌｅｃｔｉｖｅｔａｐｅ．ｉｎｆｏ／５０２−２／に求めることができる。
【００２１】
物体の位置の決定
【００２２】
多くの製造プロセスが、機械映像を用い、自動画像解析を、工業用途において自動検査及びロボット誘導を実現するための他の方法及び技術と組み合わせる方法を用いて物体の位置、形状、及びスケールを決定する。高解像度カメラ及び後続の映像解析を用いて物体エッジを決定することができる。
【００２３】
或いは、図４に示しているように、物体が光源と検出器との間でプローブビームを捕捉することよって物体の境界、エッジ、又はその他の特徴部を決定することができる。米国特許第５，６８４，５９９号の図２を参照されたい。半導体製造設備によって用いられるウェハのエッジ及びノッチの検出の従来法はこの方式を頻繁に用い、ウェハは台の上に配置され、下記に説明するようにプローブビームの下で回転及び／又は並進移動される。
【００２４】
半導体製造におけるウェハの位置及び向きの検出
【００２５】
半導体加工では、プロセスチャンバの内部におけるウェハの位置及び向きを精確に決定することがしばしば必要とされる。現在の技術では、多くの場合、この決定は、ウェハ表面の一方の側にプローブ光ビームを、もう一方の側に検出器を有する状態でウェハを回転台の上に位置決めすることによって果たされる。
【００２６】
Ｓｈｉｇｅｔｏｓｈｉ  Ｓｉｍｏｙａｍａ他（米国特許第５，６８４，５９９号）及びＡｄａｍ  Ｅ．Ｎｏｒｔｏｎ（米国特許第６，６５５，６０２  Ｂ１号）によって教示されているように、ウェハを回転させることによってウェハノッチの位置を示す信号が引き起こされる。図４では、静止ビーム１２が発光ユニット６によって放出され、光検出ユニット８によって検出され、それと同時に基板Ｗによって部分的に遮蔽される。基板Ｗがスピンドル４及びモータ１６によって回転され、又は台（図示していない）によって横に移動されて、ウェハエッジ検出手段１０内で光源６と検出器８との間に示しているように移動すると、伝送されるプローブビームがオン状態とオフ状態との間で切り替わり、相応する信号を検出器８上に発生させる時にウェハエッジ又はノッチ等のウェハ特徴部の位置が検出される。特徴部が存在しない時の状態と比較して、特徴部が光源６と検出器８との間を通過している時にはより多くの光が伝送されることから、重要な物体特徴部（ノッチ又はコーナー等）の向きが信号振幅の変化によって示される。
【００２７】
ウェハの回転は機械的プロセスであり、ウェハを加速し、定速で移動させ、更に停止して角度位置を追跡することを必要とする。このプロセスは、数秒を要する可能性がある。それに加えて、ウェハの中心位置は、配置ロボットがウェハを回転チャック上に位置決めした際の精度でしか把握されない。配置位置の誤差は、ウェハノッチ信号を妨害し、測定の信号／ノイズを低減し、測定精度を低減する恐れがある。この誤差は、Ｘ／Ｙ直線運動によるウェハ中心の調節を可能にすることによって排除することができるが、それによって機械的位置決めプロセスが更に複雑になり、オーバーヘッド時間が追加される。
【００２８】
従って、機械的手段ではなく光学手段によってウェハの位置及び向きを検出することが望ましい。
【００２９】
しかしながら、走査プロセスビーム又は投影プロセスビームを用いてウェハを加工する場合には、基板境界検出の従来法は付帯的な難題を引き起こす。例えば、先に説明した基板エッジのカメラ検出の場合には、基板境界箇所は、プロセスビームに対してではなくカメラの撮像平面の内部におけるピクセルの場所に対して識別される。カメラ光学系内のひずみ及び基板に対するカメラの場所の不確定性は、例えば、基板境界に対するプローブビームの位置において不確定性を発生させることになる。別の例において、先に説明し、図４に示した基板エッジの固定プローブビーム検出の場合には、基板境界箇所は、プロセスビームに対してではなくプローブビームの場所に対して識別される。プローブビーム方向の不確定性及び基板に対するプローブビーム及び検出器の場所の不確定性は、例えば、基板境界に対するプロセスビームの位置において不確定性を発生させることになる。
【００３０】
従って、プロセスビームと同軸伝播するプローブビームを利用する光学手段によってウェハの位置及び向きを検出することが望ましい。
【００３１】
ウェハの機械的な回転又は並進移動を伴わない従来手段を用いた完全に光学的なエッジ検出プロセスは、ウェハの外周の周囲に密接に離間された多数のセンサを必要とすることになる。例えば、ウェハエッジ又はウェハノッチがおよそ０．３ｍｍであると決定された場合には、センサは、〜０．１ｍｍの距離を区別することができなければならなくなり、従ってそれ程密接に離間させなければならないことになる。この密接な離間は、利用可能なセンサを用いる場合には実施するのが困難且つ高価であり、従ってこれらの注目パラメータを十分な精度で決定する上で単一のセンサの前で注目特徴部を移動させること（例えばウェハを回転させること）、又は高解像度カメラで特徴部を検出することが好まれてきた。
【先行技術文献】
【特許文献】
【００３２】
【特許文献１】米国特許第５，６８４，５９９号明細書
【特許文献２】米国特許第６，６５５，６０２  Ｂ１号明細書
【非特許文献】
【００３３】
【非特許文献１】ｈｔｔｐ：／／ｒｅｆｌｅｃｔｉｖｅｔａｐｅ．ｉｎｆｏ／５０２−２／
【発明の概要】
【課題を解決するための手段】
【００３４】
本発明は、ある特定の実施形態において、物体の注目特徴部の背後又は近隣に、更に好適には全ての物体エッジを囲むように再帰反射表面を位置決めすることによって前述の問題に対する解決策を実現する。再帰反射表面は、プローブ（又は測定）ビームを、注目物体の境界の外側にあるあらゆる位置から、限定することなく接線方向分解能で反射し戻す。再帰反射表面が物体の背後に配置される場合には、物体エッジまでの再帰反射表面の距離は重要ではなく、観測される反射は、更なる幾何学的補正を必要とすることなく物体平面内の場所から発するように見える。再帰反射体面からの信号と比較した場合に高い物体表面からの帰還信号におけるコントラストは、物体が強い鏡面反射を有する場合であっても、反射ビームが入射プローブビームに沿って戻らない（図１に記載の１０１を参照されたい）ことから、エッジの明確な区別を可能にする。再帰性反射材が継ぎ目なく連続する場合には、エッジ位置の精度は、プローブビームのサイズとビーム位置決めデバイスの分解能とによって決定される。
【００３５】
本明細書で開示する本発明の実施形態は、１つ又は複数の再帰反射表面を用い、測定すべき物体を検出器と再帰反射表面との間に、又は代替的に再帰反射表面の近隣に配置し、プローブビームを用いて物体の境界部を走査し、更に再帰反射表面からの反射を感知することによって、物体のエッジ、中心、コーナー、ノッチ、及び幾何学的アーチファクト等の物体フィデューシャルの位置及び向きを正確に特定するための光学装置及び方法を教示する。
【００３６】
更に、本明細書において説明するように、プローブビームは、プロセスビームと精確に相互整列させて走査することができ、プロセスビームに対するプローブビームの相対変位が正確に測定される。
【００３７】
更に、再帰反射マーカーをプロセス平面内の明確に把握された場所に位置決めし、基板上のこれらのマーカーの内部にある再帰反射表面から反射された信号を検出することによってこれらの場所の位置を特定することによって基板又は基板代用物の平面内の特徴（フィデューシャル）箇所を正確に決定する装置及び方法を説明する。フィデューシャルマーカーの既知の位置からのこれらのマーカーの実測変位は、ビーム偏向誤差の正確な決定を可能にし、これらの誤差を用いて、物体上へのプロセスビーム配置精度の改善を果たすようにビーム偏向の電子機器及び制御器を補正することができる。
【００３８】
本開示では、「加工物」、「物体」、「製品」、「ウェハ」、「基板」、「代用物」、又は「試験品」という用語は概ね同義であり、レーザー加工又は計測を受ける表面を意味する。同様に本開示では、「フィデューシャル」という表現は、空間内でビームに対して物体を位置決め、スケール決め、又は向き決めするために用いることができる何れかの明確に定義された幾何学的アーチファクト又は物体特徴部を一般的に意味する。
【図面の簡単な説明】
【００３９】
【図１】様々な表面からの光の反射及び散乱の種類を描示する図である。
【図２】球面及びプリズムという２つの種類の再帰反射挙動顕示構造を示す図である。
【図３】マイクロビーズ及びマイクロプリズムという２つの種類の再帰反射表面の詳細を示す図である。
【図４】半導体製造用途におけるウェハエッジ及びウェハノッチの検出に向けた従来技術の方法であって、検出器と、ウェハが移動される時にウェハのエッジ又はノッチによって視界から隠される光ビームとを利用する方法の図である。
【図５】プローブビームがプロセスビームと相互整列され、両方のビームが加工物に向かって偏向機構を用いて偏向される本発明の一実施形態を示す図である。
【図６ａ】基板の背後にある再帰反射表面によって囲まれた基板にわたってプローブビームが掃引されている図５に記載の装置を示す図である。
【図６ｂ】基板の近隣にある再帰反射表面によって囲まれた基板にわたってプローブビームが掃引されている図６ａに記載の装置の代替的実施形態を示す図である。
【図７ａ】プローブビームが再帰反射表面上に位置決めされた、後の時点のプローブビームを示す図６ａに記載の装置を示す図である。
【図７ｂ】再帰反射ビーム検出器に対する代替的な場所を利用する図７ａに記載の装置の代替的実施形態を示す図である。
【図８ａ】プローブビームが物体のエッジを跨いで走査された時に再帰反射体検出器によって取得された代表的な信号をＸ軸とＹ軸との両方に沿う運動に対して表した図である。
【図８ｂ】プローブビームが物体のエッジを跨いで走査された時に再帰反射体検出器によって第１及び第２の走査方向に取得された代表的な信号を示す図である。
【図９】物体を囲む再帰反射区域の外側であるが、ビーム走査機構の到達範囲内で物体平面内に配置されたビーム位置センサにプローブビームが入射しているところを示す図である。
【図１０】物体を囲む再帰反射区域の外側であるが、ビーム走査機構の到達範囲内で物体平面内に配置されたビーム位置センサにプロセスビームが入射しているところを示す図である。
【図１１ａ】プロセスビームとプローブビームとの間の、正確に決定することができる位置オフセットを示す、図９及び図１０に示すセンサにおいて観測される代表的な信号を示す図である。
【図１１ｂ】物体のプローブビームエッジ検出走査からの再帰反射検出器における代表的な信号を示す図である。
【図１２】物体の中心箇所を正確に決定するためにプローブビームによる既知の寸法の円形物体の３つのエッジ走査を用いる例を示す図である。
【図１３】ビーム偏向のＸスケール係数及びＹスケール係数を正確に決定するためにプローブビームによる既知の寸法の円形物体の４つのエッジ走査を用いる例を示す図である。
【図１４】ウェハノッチの角度位置を決定する段階を例証するために用いる円形基板上におけるプローブビームによる物体の３つの代表的な同心円状走査を示す図である。
【図１５】プローブビームが図１４に示すトレースに沿って走査される時に再帰反射ビーム検出器によって検出された代表的な信号を示す図である。
【図１６】良好な精度で把握された位置を有するフィデューシャル再帰反射体要素のアレイが配置されたフィデューシャルターゲット基板の上面図である。
【図１７】再帰反射体層の上にマスク層を組み込んだフィデューシャルターゲット基板の断面を示す図である。
【図１８】マスク層内に埋め込まれた再帰反射体層を組み込んだフィデューシャルターゲット基板の断面を示す図である。
【図１９】プローブビームによって図１６に記載のフィデューシャル要素を１つ走査する段階から観測されたＸ軸及びＹ軸に沿う代表的な再帰反射信号を示す図である。
【発明を実施するための形態】
【００４０】
本明細書で説明する方法及び装置は、通常反射物体（拡散又は鏡面のどちらか）と再帰反射区域との間の境界部を正確に検出することができる。戻りビームから検出された信号におけるコントラストを用いて、物体のエッジの場所が決定される。ある特定の実施形態では、再帰反射表面は、プローブビームが物体区域を射出するや否や再帰反射表面を照明するように、物体を囲む、又は物体の背後に配置される。
【００４１】
本明細書における説明は、ビームが移動され、物体が静止状態にあると仮定して「ビーム偏向」という用語を用いるが、不可欠なことは、物体エッジ及び再帰性反射材を基準とするプローブビームの相対運動である。この相対運動は、物体をビームと相対的に移動させること、又はビームを偏向させるための何れかの個数の手段等の幾つもの手法で果たすことができる。本明細書における説明においてこれらの方法のうちの１つを選択することは、相対ビーム位置決めの他の方法の全てを除外するように本発明の範囲を限定することを意図するものではない。
【００４２】
後続の解説では、プローブビームが物体にわたって検流計を用いて走査される状況を説明する。この説明は、本発明をこの相対運動のみに決して限定せず、相対運動の他の方法をこの方式に含むべきである。
【００４３】
プローブビームは、物体のエッジ又は特徴部と相対的に移動され、反射強度が、プローブビームの波長で光強度を測定することができる検出器を用いて測定される。これらの要件を満たす多数の検出器（光ダイオード等）が市販で入手可能である。
【００４４】
プローブビームは、それとは異なる波長で動作することができるプロセスビームと相互整列させることができる。多くの場合、ビームプロセスは、赤外（ＩＲ）、紫外（ＵＶ）、又は深紫外（ＤＵＶ）等における可視スペクトル以外の波長を必要とする。プロセスビームの波長及び強度は用途に左右される。
【００４５】
プローブビームとプロセスビームとを相互整列させる段階は、従来法を用いて良好な精度で実施することができる。プローブビームとプロセスビームとを相互整列させる方法の一例を図５に関連して説明する。相互整列されると、プロセスビームとプローブビームとは、同じ位置又は互いに対してオフセットされた既知の位置で物体を照明する。相互整列されると、プローブビームのみを用いてプロセスビームのターゲット箇所を更に決定することができる。プローブビームとプロセスビームとは同時にオンにする、又は互いの間で交番することができる。プローブビームが加工物又は加工物表面の望ましくない改変を引き起こさないように穏やかな性質、例えば穏やかな波長又はパワーレベルのプローブビームを用いるのが好ましい。プローブビームを用いて物体の境界を特定した後に、所望の基板表面の加工又は改変をプロセスビームによって正確に実施することができる。
【００４６】
加工物の検出された境界、向き、及び／又はスケールがプロセスビームの計画走査パターンに対して不正に配置されている場合には、幾つかの修復を施すことができる。例えば、加工物が走査プロセス箇所に不精確に装填された場合には、走査制御システムがロボット又は人間の装填者に対して加工物を位置変更するように要求することができる。或いは走査制御システムは、当該技術分野で公知であるように加工物の不正な位置、向き、及び／又はスケールを補正するように計画走査パターンを再計算することができる。
【００４７】
本開示において説明する装置及び方法を用いてプローブビームの正確な位置が把握されると、全体の露光視野にわたるプロセスビームの正確な位置も把握される。
【００４８】
プローブビームの波長は、一般的にスペクトルの可視部分内、最も一般的には高品質赤色ビーム（ヘリウム−ネオンレーザー又はダイオードレーザー等の）が容易に入手可能であることから赤色であるように選択される。幾つかの実施形態では、加工物エッジは、再帰性反射材の手前又は近隣に並置される。続いてこれらのエッジの位置を、プローブビームの走査視野パラメータの範囲内で正確に決定することができる。
【００４９】
プロセスビームの波長及び強度が再帰性反射材を損傷する可能性があるようなものである場合には、プローブ波長に対して透過性を有するが、プロセス波長を遮蔽する保護カバーを再帰性反射材の上部に配置することができる。この保護カバーは、再帰性反射材が損傷を受けるのを防止するが、なおも再帰反射信号を検出することを可能にする。
【００５０】
本発明の一実施形態による装置に関する略断面図を図５に示している。装置は、ビーム制御セクション５００及び基板制御セクション５０１という２つのセクションで構成される。ビーム制御セクション５００内には、基板加工に向けたプロセスビームを生成するプロセスビーム発生ユニット５０２、例えばレーザーが配置される。プロセスビーム発生ユニット５０２は、ビームスプリッタ５０４から反射し、ビーム誘導操作デバイス５０５、例えば二軸検流計ビーム走査ユニットによって偏向されるプロセスビーム５０３を生成する。続いてプロセスビーム５０３は、基板制御セクション５０１に向かって誘導操作される。
【００５１】
ビーム制御セクション５００内には、基板位置計測に向けたプローブビームを生成するプローブビーム発生ユニット５０６、例えばダイオードレーザーが更に配置される。プローブビーム発生ユニット５０６は、ビームスプリッタ５０８から反射し、ビームスプリッタ５０４を透過し、ビーム誘導操作デバイス５０５によって偏向されるプローブビーム５０７を生成する。続いてプローブビーム５０７は、基板制御セクション５０１に向かってプロセスビーム５０３と整列状態で誘導操作される。
【００５２】
ビーム制御セクション５００内には、再帰反射ビーム信号検出器５１０、例えば光ダイオードが更に配置される。基板制御ユニット５０１から戻る再帰反射ビーム５０９は、ビーム誘導操作デバイス５０５によって偏向され、ビームスプリッタ５０４及び５０８を透過し、再帰反射ビーム信号検出器５１０上に入射する。
【００５３】
例示目的で、図５にはプロセスビーム５０３及びプローブビーム５０７を空間的に若干変位された状態で描示している。実際には、これらのビームがほぼ重畳される程密接に相互整列されるようにこれらのビームの向きを定めるのが好ましいことになる。例えば、ビームスプリッタ５０８及び５０４には、各ビームの角度及び変位を変更するために用いることができる手動又は作動の傾斜制御器を装備することができる。かかるいわゆるチルトチップ光学マウントは、多くの製造供給者から入手可能である。当業者は、この方法を、整列ターゲット、例えば蛍光スクリーンを補助として用いてこれらのビームを相互整列させることができよう。
【００５４】
基板制御セクション５０１内には、基板ホルダ５１２に機械的に添着された基板５１１、例えばシリコンウェハと、運動制御デバイス５１３、例えばウェハチャック及びモータ駆動スピンドルとが配置される。基板５１１の外周部の下及び周囲に再帰反射体５１４が配置される。基板制御セクション５０１内にはビーム位置センサ５１５が更に配置される。下記でより詳しく説明するビーム位置センサ５１５は、光検出器５１６とピンホール５１７とを含む。
【００５５】
次にビーム制御セクション５００、基板制御セクション５０１、及びビーム位置センサ５１５の様々な構成要素を、図６から図１１を参照しながら解説することにする。
【００５６】
図６ａを参照すると、図５に記載の装置であるが、この場合にはビーム制御セクション５００が、プローブビーム５０７のみが付勢され、それに対してプロセスビーム５０３が停止されるような基板精査に向けて構成された装置が示されている。プローブビーム５０７は、ビーム誘導操作デバイス５０５によって基板５１１にわたって左から右へと掃引するプロセスにある。プローブビーム５０７が、示しているように基板５１１の表面を横断する間には鏡面反射５０９のみが生じ、信号は検出器５１０に戻されない。図６ｂは、再帰反射表面５１４が、図６ａに示しているように基板５１１の背後ではなく基板５１１の近隣にある代替的実施形態を描示している。
【００５７】
図７ａは、基板エッジを横断し切って次に実質的に再帰反射体５１４上に位置決めされた掃引中の後の時点における図６ａに記載のプローブビーム５０７を示している。この場合プローブビーム５０７は、再帰反射体５１４から検出器５１０へと再帰反射ビーム５０９として戻される。
【００５８】
図７ｂは、検出器５１０がビーム誘導操作デバイス５０５の隣に配置された代替的実施形態を描示している。図７ａの場合には、再帰反射体５１４は、図１に描示している再帰反射型又は拡散再帰反射型のものであり、それに対し図７ｂの場合には、再帰反射体５１４が拡散再帰反射型のものであることが好ましい。
【００５９】
図８ａは、図６及び図７に描示している掃引中に得られた検出器５１０からの代表的な信号を、偏向器５０５に送られた指令位置に対してプロットしたものを示している。プロット図８００は、検出器５１０からの信号を、偏向器５０５の指令Ｘ軸ビーム位置に対して示している。プロット図８１０は、検出器５１０からの信号を、偏向器５１０の指令Ｙ軸ビーム位置に対して示している。プロット図８００の領域８０１及びプロット図８１０の領域８１１内では検出器信号は低く、ビームが実質的に基板５１１上にあることを示している。
【００６０】
図８ａを参照すると、プロット図８００の領域８０２及びプロット図８１０の領域８１２内では検出器５１０からの信号は高く、プローブビーム位置が実質的に再帰反射体５１４上にあることを示している。プロット図８００及び８１０は、ビームが基板エッジを跨いで移動する時に、検出器５１０上の信号が低レベルから高レベルへと転移することを実証している。低から高への信号の漸進的な転移は、プローブビームの有限のサイズに起因する。この転移を用いて以下のように基板エッジの場所を［Ｘ，Ｙ］走査座標において決定することができる。
【００６１】
プロット図８００（Ｘ軸位置）は、プロット図の左側に低い信号レベル８０１を示し、プロット図の右側に高い信号８０２を示している。プロット図８１０（Ｙ軸位置）も、プロット図の左側に低い信号レベル８１１を示し、プロット図の右側に高い信号８１２を示している。水平の破線８０３及び８１３は、高レベルと低レベルとの間の中間（平均）信号レベルを示している。水平破線と信号との間の交点の場所は、走査座標において基板のエッジを決定する。例えば、プロット図８００内では、線８０３と検出器信号との交点は、垂直線８０４を辿るとおよそ１４９．６ｍｍのＸ座標を示している。同様に、プロット図８１０内では、線８１３と検出器信号との交点は、垂直線８１４を辿るとおよそ７．８ｍｍのＹ座標を示している。この例では、加工物外周箇所［１４９．６，７．８］ｍｍが得られる。
【００６２】
基板エッジを検出するために信号と転移中の低信号レベルと高信号レベルとの中間値との交点を用いる代わりに、転移中の最も急勾配の傾きの点を求めること等の代替的な方法を用いることができる。当業者は、低レベルから高レベルへの信号の転移点を定義する多くの他の方法に精通されていよう。
【００６３】
本明細書で説明し、図８ａに描示しているように物体エッジ又はフィデューシャルを走査する時に得られる再帰反射信号を検出する際にはある問題に遭遇する。図８ｂを参照すると、プロット図８２０は、物体境界を越える再帰反射ビーム走査から得られる代表的な信号を示している。トレース８２１は、例えば物体表面から再帰反射表面に向かう第１の方向の軌道に沿ってビームが物体上のエッジを横断する時に得られる代表的な信号である。トレース８２２は、同等の軌道に沿うが、例えば再帰反射表面から物体表面に向かう第２の方向にこの物体を走査する時に得られる代表的な信号である。ビームが物体表面から再帰反射表面へと進行する時に得られる物体エッジ箇所８２３が、ビームが再帰反射表面から物体表面へと進行する時に得られる物体エッジ箇所８２４と異なることがわかる。
【００６４】
当業者は、多くの走査制御用途及びデータサンプリング用途にとって一般的であるように、走査方向の関数としての実測エッジ箇所の見かけ偏位を認識されよう。例えば、ビーム走査制御器、電子機器、ビーム走査に向けた手段の光学構成要素、又は機械構成要素における遅延が、指令ビーム偏向位置と実測ビーム偏向位置と実ビーム偏向位置との間に時間遅延を引き起こす可能性がある。それに加えて、再帰反射体光検出器、信号増幅器、及びデータサンプリング回路内の信号遅延が、信号の付帯的な時間遅延を引き起こす可能性がある。これらの遅延の結果は、指令ビーム位置（又は実測ビーム位置であっても同様）と検出再帰反射体信号との間の概ね一定の時間遅延である。例えば、一定の速度でエッジ又はフィデューシャルを走査する時には、この時間遅延は、所与の軌道及び走査速度に対して、図８ｂに描示しているような概ね一定のエッジ位置偏位として出現する。
【００６５】
当業者には、このいわゆる動的位置検出誤差を補正するための多くの手法が明らかであろう。例えば、物体フィデューシャルを検出する時に、２つの走査を順次利用して図８ｂに示している信号８２１及び８２２を得ることができる。続いて位置８２３と８２４との平均を補正済みエッジ箇所として利用することができる。或いは、図８ｂに示している位置８２３と８２４との間のオフセットの半分を走査制御回路又は制御コンピュータが記憶し、第１の方向と第２の方向とが同等の軌道を表すが、反対方向に配置される場合に、第１の方向の１回の走査から得られたエッジ位置に加算する、又は第２の方向の１回の走査から得られたエッジ位置から減算することができる。或いは、時間遅延を排除する又は許容レベルまで低減するために、補償制御器又は補償電子機器をビーム偏向手段及び／又は信号検出手段内で利用することができる。
【００６６】
プロセスビームを加工物上に正確に配置するためには、プローブビームとプロセスビームとの間の横オフセットの把握が必要とされる。図９及び図１０を参照しながら、プローブビームとプロセスビームとの間のオフセットを測定するプロセスを開示する。図９には、図５に記載の装置であるが、プローブビーム５０７のみを付勢するように構成された装置が示されている。図１０は、図９に記載の装置であるが、プロセスビーム５０３のみを付勢するように構成された装置を示している。ビーム誘導操作デバイス５０５は、最初にプローブビーム５０７をビーム位置検出器５１５に送るように制御され、そこでプローブビームの位置が下記で説明するように検出される。プローブビームの位置が決定された後に、ビーム誘導操作デバイス５０５は、今度はプロセスビーム５０３をビーム位置検出器５１５に送るように制御され、そこでプロセスビームの位置が下記で説明するように検出される。
【００６７】
一実施形態では、ビーム位置検出器５１５は、光検出器５１６とピンホール５１７とで構成される。ピンホール５１７は、プローブビームのサイズ及びプロセスビームのサイズと比較して小さいように選択される。例えば、プローブビーム直径が１ｍｍであり、プロセスビーム直径が２ｍｍである場合には、０．１ｍｍ又は０．２ｍｍのピンホール直径を選択することができる。光検出器５１６は、プロセスビームとプローブビームとの両方に対して感度を有するように選ばれる。
【００６８】
図１１ａは、プロセスビームとプローブビームとがビーム位置検出器５１５の面を横断するように交互に走査される時のビーム位置に対するビーム位置検出器５１５からの代表的な信号のプロット図を示している。図１１ａでは、「ビーム位置」は、例えばＸ走査軸又はＹ走査軸を示すことができる。プロット図１１００は、プロセスビーム位置に対する検出器信号１１０１（プローブビームがオフである間の）を示し、それに対してプロット図１１０２は、プローブビーム位置に対する検出器信号１１０３（プロセスビームがオフである間の）を示している。垂直破線は、両方のビームの重心位置を示している。検出器上のプロセスビームの実測重心位置とプローブビームの実測重心位置との間の差は、プロセスビームとプローブビームとの間のオフセットを示し、加工物の加工中にプローブビームの既知の場所オフセットからプロセスビームの場所を補正するために用いることができる。
【００６９】
図９及び図１０では、ビーム位置検出器５１５は、ピンホールによってマスキングされた光検出器で構成される。しかしながら当業者は、ビームの位置を検出するための多くの他の手法を企図されよう。例えば、これらの方法は、ビームを小さい能動区域を有する検出器にわたって走査する段階を含む。また、これらの方法は、互いに対して９０度の向きに定められたスリットによって各々がマスキングされた２つの検出器の使用を含む。更にこれらの方法は、位置感知検出器（ＰＳＤ）、象限検出器（クワッドセル）、或いはＣＣＤ画像センサ又はＣＭＯＳ画像センサ等の位置感知検出器上での静止ビームの使用を含む。更にこれらの方法は、小さい蛍光ターゲット又はフィデューシャルマークが装備された蛍光ターゲットにわたってビームを走査する段階、及び光検出器又はカメラを用いて蛍光信号を記録する段階の使用を含む。
【００７０】
プローブビームはプロセスビームに対して相互整列され、従ってプロセスビームと相対的なプローブビームの位置取りを決定しなければならない。物体にわたってプロセスビームを走査するために用いられるビーム偏向手段が、プローブビームを走査することもできる。以下に続く説明は、物体のエッジを決定する上でプローブビームのみが用いられると仮定する。しかしながら、プローブビームとプロセスビームとの両方を同時に付勢することができる、又は交番させることができる。
【００７１】
プローブビームが物体上で物体エッジの近く（例えばウェハエッジの近く）にあるが、エッジ自体からはビーム直径のかなりの倍数だけ離れるようにビーム偏向手段がプローブビームを位置決めする時には、プローブビームのいかなる部分も検出器に向かって反射されないことになる。プローブビームが物体エッジに向かって走査される時には、ビームのうちの一部がなおも物体上にあり、従ってこの部分は、検出器におけるいかなる信号にも寄与しないことになる。しかしながらビームのうちの別の部分は、物体エッジを通過し、近隣の再帰性反射材を部分的に照明し、信号を検出器に戻すことになり、この信号を即座に観測することができる。外方への継続走査の結果として、ビーム全体が再帰性反射材を照明し、検出器においてピーク信号が生じる。
【００７２】
プローブビームが物体上に入射する時には必ず、極めて僅かな光しか反射し戻されず、検出器によって観測されない。しかしながらプローブビームが再帰性反射材を照明する時には必ず、検出器において信号強度の著しい上昇が観測される。非反射物体から再帰反射背景への転移は即座に検出可能であり、この転移を、図１１ｂに記載の概念図において物体上への入射から再帰反射表面を照明する段階へと移り渡る走査として示しており、検出器信号を、外向き走査に関してビーム位置（１）から（５）に、戻りの内向き走査においてビーム位置（６）から（９）に特記している。
【００７３】
本発明の一実施形態では、基板の外周部上にある複数の点の正確な検出及び場所特定を用いて基板の位置、例えば中心箇所を決定することができる。例えば、シリコンウェハ等の丸形基板の場合には、ウェハの外周部上にある３つ又は４つ以上の点の場所の把握を用いてウェハ中心の場所を特定することができる。例えば、図１２を参照しながら、破線１２０１、１２０２、及び１２０３で示しているように外周部を巡っておよそ１２０度の角度で配置された３つの走査によって走査されたウェハ１２００を検討する。これらの走査は、基板の実測中心箇所において誤差を引き起こすことになるノッチ１２０８を横断しないように選んだものであることに注意されたい。再帰反射カラー１２０７として周辺ウェハ１２００が配置される。これらの走査からの再帰反射信号の解析が、［ｘ1，ｙ1］を生じる外周箇所１２０４と、［ｘ2，ｙ2］を生じる外周箇所１２０５と、［ｘ3，ｙ3］を生じる外周箇所１２０６とを決定する。この場合量Ｔが次式によって与えられる。
【数１】
2020505619.tif 000002
【００７４】
Ｔを、公知の最小二乗最小化原理を用いて最小化することができ、ウェハ中心位置［ｘ0，ｙ0］の推定が生じる。精度の改善に向けて外周部上にある３つよりも多くの点を利用することもできる。当業者は、複数の外周測定から基板の中心を決定するための他の方法に精通されていよう。
【００７５】
本発明の別の実施形態では、際立った方向のビーム偏向のスケールの正確な決定及び補正を実施することができる。例えば、特定の方向に沿う加工物の横寸法を決定するために、プローブビームを用いて加工物を走査することができる。特定の方向に沿う基板の寸法が既知である場合には、ある特定方向に沿う既知の寸法に対するこの方向に沿う実測基板寸法の偏倚を用いてこの方向に沿う走査スケールを決定することができる。
【００７６】
例えば、図１３を参照すると、３００ｍｍ径のシリコンウェハが配置され、４つの外周箇所においてプローブビームによって走査される。これらの走査は、基板の実測寸法において誤差を引き起こすことになるノッチ１３１０を横断しないように選んだものであることに注意されたい。再帰反射カラー１３０９として周辺ウェハ１３００が配置される。Ｘ軸に沿って実施される走査１３０１は、点［ｘ1，ｙ1］を生じるウェハ外周箇所１３０５を得る。Ｘ軸に沿って実施される走査１３０３は、点［ｘ2，ｙ2］を生じるウェハ外周箇所１３０７を得る。Ｙ軸に沿って実施される走査１３０２は、点［ｘ3，ｙ3］を生じるウェハ外周箇所１３０６を得る。Ｙ軸に沿って実施される走査１３０４は、点［ｘ4，ｙ4］を生じるウェハ外周箇所１３０８を得る。量Ｓx＝（ｘ2−ｘ1）／３００が、Ｘ軸に対するスケール補正係数を示し、それに対して量Ｓy＝（ｙ3−ｙ4）／３００が、Ｙ軸に対するスケール補正係数を示す。同様に、他の方向に対するスケール係数を得ることができる。これらのスケール係数を用いて、走査精度を改善するように特定の方向のビーム偏向制御器を補正することができる。例えば、検流計走査デバイスの場合には、これらの実測走査係数を用いてこのデバイスに対する入力電圧ゲイン係数に対する走査角度を補正することができる。
【００７７】
基板中心の正確な決定に加えて、多くの場合に回転等の基板の向きを決定することが重要である。例えば、半導体業界は、基板の向きを決定する上で短い平坦エッジ（いわゆるウェハフラット）を有する丸形構成の小さめのシリコンウェハサイズを利用していたが、３００ｍｍのウェハサイズから始まって、ウェハフラットは小さい三角形ノッチ（ウェハノッチとも呼ばれる）によって置き換えられ、この置き換えは、利用可能なエッジダイの数を著しく増加させ、より高い歩留まりに寄与した。多くのプロセスにとって、このノッチの向きを把握することは重要である。他の工業プロセスでは、加工物の向きは、加工物の外周部又は内部における他の種類のフィデューシャルアーチファクトを精査することによって得ることができる。
【００７８】
本発明の別の実施形態において、本発明を用いてウェハノッチの場所を決定するための方法を開示する。この方法は、加工物の物理的形状及び寸法の把握を必要とする。例えば、半導体業界では、ウェハ寸法の直径及び真円度が公知である。本明細書で開示する手順を用いて、ウェハノッチの場所を得ることができる。図１４を参照すると、フィデューシャルノッチ１４０１を有するシリコンウェハ１４００が配置されている。代表的なプローブビーム円形走査軌道１４０２、１４０３、及び１４０４が示されており、この場合走査１４０２はウェハ境界の十分に内側にあり、走査１４０３は、ウェハノッチ１４０１を通過するようにウェハ境界の近くにあり、走査１４０４は、ウェハ境界の十分に外側にあるが、なおも再帰反射体１４０５の上にある。
【００７９】
図１４には、ノッチ１４０１を横断しないように走査半径が十分に小さい走査１４０２が示されている。図１５に記載のプロット図１５００は、走査１４０２から得られた代表的な再帰反射信号１５０１を示している。この場合、走査角度（０〜３６０度）に対する低い信号レベルが得られ、プローブビーム走査がウェハ表面上にあることが示される。更に走査１４０４が示され、この場合円形軌道は、それがウェハの完全に外側にあるが、なおも再帰反射体１４０５の内部にあるような十分に大きい半径を有する。図１５に記載のプロット図１５１０は、走査１４０４から得られた代表的な再帰反射信号１５１１を示している。この場合走査が完全に再帰反射体表面上にあることを示す、走査角度に対する高いレベルが得られる。更に走査１４０３が示され、この場合走査はウェハ上にあるが、ウェハエッジに近い。図１５に記載のプロット図１５２０は、走査１４０３から得られた代表的な再帰反射信号１５２１を示している。この場合高信号レベル１５２３への急激な転移、それに続く低レベルへの急激な減少を除き、走査角度に対する低い信号レベルが得られる。短い低／高／低の信号転移１５２２は、ビームがノッチ１４０１を通過することに相応し、従ってビーム走査座標における基板の角度方向が得られる。
【００８０】
本発明のなおも別の実施形態では、走査視野に対する非常に正確な線形性補正係数を発生させるために再帰反射フィデューシャルが用いられる。図１６を参照すると、複数の再帰反射フィデューシャル要素１６０１から１６０２を有するターゲット基板１６００が配置され、この場合フィデューシャル１６０１は最初のフィデューシャルを表し、１６０２は最後のフィデューシャルを表す。この図では、フィデューシャル１６０１から１６０２を小さい円で表しているが、正方形又は多角形等の他の形状を用いることができる。この図には、フィデューシャル要素からなる長方形格子が示されている。しかしながら、放射状要素セット等の多くの他の要素分布を用いることができる。
【００８１】
フィデューシャルの中心の場所を特定するために、プローブビームを用いて複数のフィデューシャルを走査することが好ましい。プローブビームによる各フィデューシャルの場所特定精度は、これらのフィデューシャルのサイズがプローブビームのサイズよりも小さい場合に改善される。例えば、２ｍｍのプローブビーム直径に対して、フィデューシャル要素は１ｍｍ又は０．５ｍｍとすることができる。一般的にターゲット基板１６００は、プローブビームを用いて走査座標を線形化するのを補助するための、時として基板代用物と呼ばれるツールとして用いられる。このプロセスが完了すると、ターゲット基板の代わりに製品基板が用いられ、その後、プロセスビームで露光される。
【００８２】
図１７は、図１６に示しているターゲット基板１６００の断面を描示している。一実施形態では、その構造において４つの層が用いられる。まず、再帰反射層１７０１を支持するための平坦基板を設けるために支持層１７００が配置される。マスキング層１７０２が、開口部１７０３をプローブビームに対して露出させる。開口部１７０３は、図１６に示しているフィデューシャル１６０１から１６０２に相応する。マスキング層１７０２を覆うのは、プローブビームに対して透過性を有し、任意選択的にプロセスビームに対して不透過性を有する任意選択的な保護層１７０４、例えばガラス又は溶融シリカの層である。開口部１７０３が基板１７００にわたって既知の場所に精確に配置されることが重要である。当業者は、層内に精確に場所決めされた開口部のアレイを生成する多くの方法に精通されていよう。例えば、開口部１７０３は、薄い金属シート内にレーザー穿孔することができる。或いは開口部は、フォトリソグラフィ的にパターン形成し、薄い金属シート内に化学エッチングすることができる（写真製版）。或いは開口部は、半導体加工に向けたフォトマスクを作製するために用いられる技法を用いてガラス基板（レチクルとも呼ばれる）上の薄い金属層内にフォトリソグラフィ的にパターン形成することができる。高精度のターゲットアレイ及びレチクルが、多くの製造供給者から入手可能である。
【００８３】
フィデューシャル要素の中心を測定するプロセスを説明する。基板１７００は、プローブビーム１７０５によって走査される。プローブビーム１７０５は、それが、開口部１７０３から離れたマスキング層１７０２上に入射する位置１７０６に示されている。この場合再帰反射体信号は生成されない。プローブビーム１７０５は、それが、精確に開口部１７０３上にあるマスキング層１７０２上に入射する後の時点における位置１７０７にも示されている。この場合大きい再帰反射信号が生成される。
【００８４】
図１８は、図１７に示している再帰反射層１７０１を用いる代わりに、再帰性反射材１８０３がマスキング層１８０２内の開口部内に嵌め込まれる代替的実施形態を描示している。図１８では、装置は円形孔として示されているが、スリット、十字、ボックス、又は円を含むがこれらに限定されない何れかの形状にあるものとすることができる。マスキング層１８０２を覆うのは、プローブビームに対して透過性を有し、任意選択的にプロセスビームに対して不透過性を有する任意選択的な保護層１８０４、例えばガラス又は溶融シリカの層である。フィデューシャル要素の中心を測定するプロセスは図１７に記載のものと同様である。基板１８００はプローブビーム１８０５によって走査される。プローブビーム１８０５は、それがマスキング層１８０２上に入射する、開口部１８０３から離れた位置１８０６に示されている。この場合再帰反射体信号は生成されない。プローブビーム１８０５は、それが、マスキング層１８０２上に精確に嵌め込み再帰性反射材１８０３上で入射する後の時点における位置１８０７にも示されている。この場合大きい再帰反射信号が生成される。
【００８５】
図１９は、単一のフィデューシャル要素を走査する段階の詳細を示している。再帰性反射材の内部によって構成されたフィデューシャル要素１９００は、Ｘ方向１９０１に走査され、引き続きＹ方向１９０２に走査される。他の走査体系を用いることもできる。代表的なプロット図１９１０は、Ｘ軸プローブビーム位置に対する再帰反射体信号１９１１を示しており、代表的なプロット図１９２０は、Ｙ軸プローブビーム位置に対する再帰反射体信号１９２１を示している。当業者は、これらの信号を解析して走査座標におけるフィデューシャル要素中心位置［Ｘ０，Ｙ０］を決定することができよう。例えば、各走査のピーク値に相応する軸位置を用いることができる。或いは、各走査からの信号の重心を用いることができる。
【００８６】
図１９において説明し、描示した手順は、図１６に示している複数のフィデューシャル点１６０１から１６０２上で順次に実施することができ、添字がｉ＝１、２、３…、ｎであり、ｎが走査されるフィデューシャル要素の個数である時に、実測フィデューシャル要素中心セットＭi＝［Ｘi，Ｙi］が得られる。フィデューシャル要素の既知の中心は、Ｒi＝［Ｘi，Ｙi］によって与えられる。実測フィデューシャル中心と既知のフィデューシャル中心との間の差が、基板にわたるＸ位置及びＹ位置の関数としての走査座標誤差をなし、ベクトル量Ｅi＝Ｍi−Ｒiによって与えられる。加工物にわたるプロセスビームの位置を改善するために、この誤差セットＥi（Ｘi，Ｙi）＝［ｇi，ｈi］を用い走査座標基準フレームを補正するのが望ましい。
【００８７】
当業者は、実測走査誤差Ｅiのセットを用いて走査座標を補正する上で多くの手法を用いることができることを理解されよう。例えば、基板の区域にわたって定義される補正多項式の係数を取得するために公知の最小二乗最小化技法を用いることができる。
【００８８】
例えば、基板上にビームを偏向するのに望ましい位置［ｘ，ｙ］に注目する。望ましい位置ｘ及びｙに加算され、ビーム走査手段に送られた時に、ビームを望ましい場所に低い誤差しか伴わずに偏向させることになるオフセット補正関数Ｇx（ｘ，ｙ）及びＧy（ｘ，ｙ）を定義する。例えば、補正関数を基底関数ｆj（ｘ，ｙ）の線形和として次式が成り立つように定義することができる。
【数２】
2020505619.tif 000003
【数３】
2020505619.tif 000004
【００８９】
例えば、ｆj（ｘ，ｙ）は、ｘ、ｙ、ｘ2、ｙ2、ｘｙ、ｘ2ｙ等のような項で構成することができる。或いはｆj（ｘ，ｙ）は、ｃｏｓ（ｘ）、ｓｉｎ（ｘ2ｙ）、又はｘ及びｙの何れか他の関数のような三角関数で構成することができる。或いはｆj（ｘ，ｙ）は、ｒ2＝ｘ2＋ｙ2及びｔａｎ（θ）＝ｙ／ｘが成り立ついわゆるｒ−θ座標又は極座標の関数として構成することができる。当業者は、基底関数を形成するための多くの他の手法を理解されよう。
【００９０】
この場合、係数ｃj及びｄjを得るために、量Ｔx及びＴyを、例えば、次式の公知の最小二乗最小化法を用いることによって最小化することができる。
【数４】
2020505619.tif 000005
【数５】
2020505619.tif 000006
【００９１】
当業者は、最小二乗法及び相応する、係数ｃj及びｄjを決定することができる公知のアルゴリズムに精通されていよう。当業者には、これらの係数を得る他の手段、例えば最大尤度法が公知であろう。最小二乗法及びその他の方法を用いて係数ｃj及びｄjを得るためのコンピュータアルゴリズムが、多くの製造供給者、例えばＭａｔｈｗｏｒｋｓ，Ｉｎｃ．から入手可能である。
【００９２】
当業者は、本明細書で教示した技術及び装置に多くの変更を、なおも本発明のものと同じ目的を果たしながら加えることができることを理解されよう。かかる変更は、本開示の範囲によって網羅されることを意図している。従って、本発明の実施形態の前述の説明は、限定的であることを意図したものではない。代わりに、本発明の実施形態に対するあらゆる制約を以下に続く特許請求において提示する。
【符号の説明】
【００９３】
１０１  反射表面
１０１ｃ  表面
１０２  拡散表面
１０４  拡散再帰反射表面
【図１】
2020505619.tif 000007
【図２】
2020505619.tif 000008
【図３】
2020505619.tif 000009
【図４】
2020505619.tif 000010
【図５】
2020505619.tif 000011
【図６ａ】
2020505619.tif 000012
【図６ｂ】
2020505619.tif 000013
【図７ａ】
2020505619.tif 000014
【図７ｂ】
2020505619.tif 000015
【図８ａ】
2020505619.tif 000016
【図８ｂ】
2020505619.tif 000017
【図９】
2020505619.tif 000018
【図１０】
2020505619.tif 000019
【図１１ａ】
2020505619.tif 000020
【図１１ｂ】
2020505619.tif 000021
【図１２】
2020505619.tif 000022
【図１３】
2020505619.tif 000023
【図１４】
2020505619.tif 000024
【図１５】
2020505619.tif 000025
【図１６】
2020505619.tif 000026
【図１７】
2020505619.tif 000027
【図１８】
2020505619.tif 000028
【図１９】
2020505619.tif 000029
【国際調査報告】
2020505619.tif 000030